(57)【要約】      （修正有）【課題】マザーボードに接続する各基板の内容は共通とし、各選択回路でパラメータを選択することにより、各受信回路では異なるパラメータを受信できるようにする。【解決手段】基板構造において、マザーボード７に複数の基板１，２０を接続し、各基板１，２０に共通して設けられた複数のパラメータＡ，Ｂを選択回路４で選択することにより、マザーボード７では互いに異なるパラメータＡ，Ｂを受信できる構成とした。【選択図】図１
2008046915.tif 000002
【特許請求の範囲】
【請求項１】
複数の基板(1)から互いに異なる内容の出力信号(6,6A)をマザーボード(7)で各々受けるようにした基板構造において、
前記各基板(1,20)には、互いに異なるパラメータ(A,B)を有する複数のパラメータ回路(2,3)と、前記各パラメータ回路(2,3)を選択するための選択回路(4)と、前記選択回路(4)で選択した前記各パラメータ回路(2,3)からのパラメータ(A,B)を入力するための出力回路(5)とからなり、
前記各基板(1,20)は同一のパラメータ回路(2,3)を有する冗長系からなり、前記マザーボード(7)からの互いに異なる選択信号(9,9A)により前記各選択回路(4)を切換作動し、前記マザーボード(7)は互いに異なる前記出力信号(6,6A)で作動することを特徴とする基板構造。
【請求項２】
前記パラメータ(A,B)は周波数よりなり、前記出力回路(5)は発振回路よりなることを特徴とする請求項１記載の基板構造。
【発明の詳細な説明】
【技術分野】
【０００１】
本発明は、基板構造に関し、特に、複数のパラメータ回路を有する冗長系の複数の基板に選択回路を設けることにより、マザーボードに対して異なるパラメータの出力信号を受けるようにし、各基板を同一内容とすることができ、基板の共通化を実現するための新規な改良に関する。
【背景技術】
【０００２】
従来、用いられていた冗長系の基板システムとしては、例えば、特許文献１に示されているように、一般に、各系毎に使用される信号の出力仕様は同一であるため、各系毎の基板のハードウェア構成も同一で構成されていた。
【０００３】
【特許文献１】特開２００４−８０９３９号公報
【発明の開示】
【発明が解決しようとする課題】
【０００４】
従来の基板構造は、以上のように構成されていたため、次のような課題が存在していた。
すなわち、従来構成においては、各系毎の内蔵基板のハードウェア構成も同一であるため、例えば、各系毎に仕様が異なる出力信号を必要とする場合には、系毎に出力信号の仕様に合わせてハードウェア構成を変えると共に、各系毎に複数の異なる基板を用意しなければならず、製造だけでなく、補用品として持つべき基板もトータルとしては極めて多くなると云う問題点が存在していた。
【課題を解決するための手段】
【０００５】
本発明による基板構造は、複数の基板から互いに異なる内容の出力信号をマザーボードで各々受けるようにした基板構造において、前記各基板には、互いに異なるパラメータを有する複数のパラメータ回路と、前記各パラメータ回路を選択するための選択回路と、前記選択回路で選択した前記各パラメータ回路からのパラメータを入力するための出力回路とからなり、前記各基板は同一のパラメータ回路を有する冗長系からなり、前記マザーボードからの互いに異なる選択信号により前記各選択回路を切換作動し、前記マザーボードは互いに異なる前記出力信号で作動する構成であり、また、前記パラメータは周波数よりなり、前記出力回路は発振回路よりなる構成である。
【発明の効果】
【０００６】
本発明による基板構造は、以上のように構成されているため、次のような効果を得ることができる。
すなわち、冗長系を構成する同一構造の各基板に、複数のパラメータを選択回路で選択できると共に、この選択操作をマザーボード側からの選択信号で実行することができるため、各基板は全く同一構造であっても、マザーボードでは異なるパラメータの出力信号を受けることができる。
すなわち、異なる出力信号を出力する場合でも、共通化された同一基板を採用することができ、基板の種類と数の低減化を達成し、補用品として用意すべき基板の数を減らすことができ、製品のコストダウン、製造図面を作成する工数の削減、及び、設計のコストダウンを達成することができる。
【発明を実施するための最良の形態】
【０００７】
本発明は、複数のパラメータ回路を有する冗長系の複数の基板に選択回路を設けることにより、マザーボードに対して異なるパラメータの出力信号を出力できるようにし、各基板を同一内容とすることができ、基板の共通化を実現するようにした基板構造を提供することを目的とする。
【実施例】
【０００８】
以下、図面と共に本発明による基板構造の好適な実施の形態について説明する。
図１において符号１で示されるものは第１基板であり、この第１基板には、周波数が互いに異なる第１、第２パラメータＡ、Ｂを有する第１、第２パラメータ回路２、３が設けられている。
【０００９】
前記第１、第２パラメータＡ、Ｂは、選択回路４に入力され、この選択回路４で何れかのパラメータＡ、Ｂが選択された後、発振回路からなる出力回路５に入力され、この出力回路５からの第１出力信号６は、マザーボード７に入力されている。
【００１０】
前記マザーボード７には、第１選択信号９を発生するための第１選択部１０が設けられており、この第１選択部１０からの第１選択信号９が選択回路４に入力され、前記各パラメータＡ、Ｂの何れかが選択されるように構成されている。
【００１１】
前記第１基板１に対し、冗長系として第２基板２０が設けられており、この第２基板２０は前記第１基板１と全く同一に構成されているため、同一部分には同一符号を付し、その説明は省略する。
【００１２】
尚、前記第２基板２０の出力回路５から出力される第２出力信号６Ａは、前記第１出力信号６とは異なるパラメータを有する第２出力信号６Ａが、マザーボード７に入力され、第２選択部２２からの第２選択信号９Ａが選択回路４に入力されている。尚、第１、第２選択信号９、９Ａを変えることにより、図１とは別の出力信号６、６Ａをマザーボード７に入力することもできる。
【００１３】
次に、動作について述べる。まず、図１の状態で、第１基板１の第１パラメータＡ、すなわち、周波数Ａが選択回路４で選択されている場合、発振回路からなる出力回路５から周波数Ａの第１出力信号６がマザーボード７に出力される。
【００１４】
また、同時に、第２基板２０の選択回路４では、第２選択信号９ＡがＬであるため、第２パラメータである周波数Ｂが選択されて発振回路からなる出力回路５から周波数Ｂの第２出力信号６Ａがマザーボード７に出力される。
【００１５】
従って、各基板１、２０は、全く同一構成で、かつ、冗長系であるにも拘わらず、マザーボード７には、互いに異なるパラメータ、すなわち、異なる周波数Ａ又はＢを入力として、各系毎に、各々異なる周波数Ａ又はＢに基づいて駆動又は他の装置への信号伝達を行うことができる。
【００１６】
また、前述の各基板１、２０の数、各基板１、２０のパラメータＡ、Ｂの数、各パラメータＡ、Ｂの種類（例えば、周波数以外の要素）の数は、図示の構成に限らず、自在に変更することができる。
【図面の簡単な説明】
【００１７】
【図１】本発明による基板構造を示すブロック図である。
【符号の説明】
【００１８】
１    第１基板
２    第１パラメータ回路
Ａ    第１パラメータ
Ｂ    第２パラメータ
３    第２パラメータ回路
４    選択回路
５    出力回路
６    第１出力信号
６Ａ    第２出力信号
７    マザーボード
９    第１選択信号
９Ａ    第２選択信号
１０    第１選択部
２０    第２基板
２２    第２選択部
【図１】
2008046915.tif 000003